(57)【要約】      （修正有）【課題】ベッドに人間が横臥するだけで天降石から放出される遠赤外線を受け、入浴治療と同等の効果が得られ、しかも身体に付着したセラミック球状粒を洗い流したり、バスタブを洗浄する面倒な作業が不要な岩盤浴ベッド装置を提供する。【解決手段】人間が横臥するに十分な面積を有するベッド本体１１と、ベッド本体の上面に敷設された遠赤外線放射プレート１５と、遠赤外線放射プレート１５の下面に設けられ、該遠赤外線放射プレート１５を加温する電気ヒータとを備え、遠赤外線放射プレート１５は、陶磁器と、この陶磁器の表面に施された天降石層１８とからなることを特徴とする。【選択図】図１
0003118642.tif 000002
【実用新案登録請求の範囲】
【請求項１】
人間が横臥するに十分な面積を有するベッド本体と、
前記ベッド本体の上面に敷設された遠赤外線放射プレートと、
前記遠赤外線放射プレートの下部に設けられ、該遠赤外線放射プレートを加温する電気ヒータとを備え、
前記遠赤外線放射プレートは、陶磁器と、この陶磁器の表面に施された天降石層とからなることを特徴とする岩盤浴ベッド装置。
【請求項２】
前記天降石層は、天降石粉体を水溶液に混入した天降石溶液を陶磁器素材の表面に塗布し、加熱炉で焼結して形成したことを特徴とする請求項1の岩盤浴ベッド装置。
【請求項３】
前記天降石層は、陶磁器素材に対し、５〜５０重量％の天降石粉体を水溶液に混入した天降石溶液を前記陶磁器素材の表面に塗布し、加熱炉で焼結して形成したことを特徴とする請求項1の岩盤浴ベッド装置。
【請求項４】
前記天降石層は、焼結後の肉厚が１ｍｍ前後であることを特徴とする請求項1の岩盤浴ベッド装置。
【考案の詳細な説明】
【技術分野】
【０００１】
この考案は、遠赤外線によって温熱効果が得られ、血液循環の促進により、生活習慣病を予防できる岩盤浴ベッド装置に関する。
【背景技術】
【０００２】
天降石と呼ばれるＳＧＥＳ（Super Growth-Ray Emitting Stone）は、鉱石本体から遠赤外線が放出され、この遠赤外線が癌疾患等に対して有効な治療手段のひとつであると証明されている。遠赤外線光は、４〜１４μの波長を持つ不可視光線であり、人間、動物、植物の成長を増幅させる成長光線と呼ばれ、人間の細胞へ有効な影響をもたらすことが知られている。
そこで、従来においては、天降石を用いた有効な治療手段のひとつとして入浴治療が知られている。入浴治療は、天降石を小さなセラミック球状粒にし、バスタブの湯中に入れる。患者がバスタブに首まで浸かって３０〜４０分入浴すると、天降石からなるセラミック球状粒からの多量の遠赤外線を受けるため、遠赤外線が患者の体内に浸透し、発汗して体内の毒素を除去することができる。
【考案の開示】
【考案が解決しようとする課題】
【０００３】
ところで、天降石を用いた入浴治療が体内の毒素を排除する上で有効であることが知られているものの、入浴後、シャワーを浴びて身体に付着したセラミック球状粒を綺麗に洗い流す必要があり、また、バスタブもその都度綺麗に洗浄する面倒な作業が必要であり、普及されていないのが実情である。
この考案は、前記事情に着目してなされたもので、その目的とするところは、ベッドに人間が横臥するだけで天降石から放出される遠赤外線を受け、入浴治療と同等の効果が得られ、しかも身体に付着したセラミック球状粒を洗い流したり、バスタブを洗浄する面倒な作業が不要な岩盤浴ベッド装置を提供することにある。
【課題を解決するための手段】
【０００４】
この考案は、前述した目的を達成するために、人間が横臥するに十分な面積を有するベッド本体と、前記ベッド本体の上面に敷設された遠赤外線放射プレートと、前記遠赤外線放射プレートの下部に設けられ、該遠赤外線放射プレートを加温する電気ヒータとを備え、前記遠赤外線放射プレートは、陶磁器と、この陶磁器の表面に施された天降石層とからなることを特徴とする岩盤浴ベッド装置にある。
【０００５】
前記天降石層は、天降石粉体を水溶液に混入した天降石溶液を陶磁器素材の表面に塗布し、加熱炉で焼結して形成したことを特徴とする。前記天降石層は、陶磁器素材に対し、５〜５０重量％、好ましくは１０％前後の天降石粉体を水溶液に混入した天降石溶液を前記陶磁器素材の表面に塗布し、加熱炉で焼結して形成したことを特徴とする。また、前記天降石層は、焼結後の肉厚が１ｍｍ前後であることを特徴とする。
【考案の効果】
【０００６】
この考案によれば、ベッド本体の上面に天降石層を有する遠赤外線放射プレートが敷設されているために、遠赤外線放射プレート上に人間が横臥するだけで天降石から放出される遠赤外線を受けることができる。従って、手軽に生活習慣病を予防できるとともに、癌疾患等に対しても有効な治療手段を受けることができるという効果がある。
【考案を実施するための最良の形態】
【０００７】
以下、この考案の実施の形態を図面に基づいて説明する。
【０００８】
図１〜図３は第１の実施形態の岩盤浴ベッド装置を示し、ベッド本体１１は、例えば、１枚のアルミニウム板を屈曲することにより、人間が横臥するに十分は面積を有する平坦面からなる載置面部１２と、この載置面部１２の両端部に一体に設けられた支持脚部１３とから構成されている。載置面部１２の両サイドは補強枠１１ａによって補強されている。また、支持脚部１３の下端部にはゴムまたは合成樹脂材料の緩衝材からなる台座１４が設けられている。
【０００９】
載置面部１２の面積は、例えば１，８００ｍｍ×６５０ｍｍで、この上面には例えば１０枚の矩形状の遠赤外線放射プレート１５（大きさが、例えば３２０ｍｍ×３２０ｍｍ×１６ｍｍ）が接着によって敷設されている。遠赤外線放射プレート１５に対応する載置面部１２の下面には防水されたフイルム状の電気ヒータ１６が敷設され、電気ヒータ１６はコントローラ（図示しない）を介して商用電源に接続されるようになっている。従って、遠赤外線放射プレート１５と電気ヒータ１６との間隔は、載置面部１２の肉厚に相当する１６ｍｍであり、電気ヒータ１６に通電後、３０〜４０分で、遠赤外線放射プレート１５を３８〜４２℃に加温できるようになっている。さらに、電気ヒータ１６は断熱材１６ａを介して保護プレート１６ｂによって保護され、保護プレート１６ｂはブラケット１６ｃを介して前記補強枠１１ａに固定されている。
【００１０】
遠赤外線放射プレート１５は、陶磁器１７と、この陶磁器１７の表面に施された天降石層１８との二層構造であり、天降石層１８は陶磁器１７の表面に一体に焼結形成されている。天降石層１８は、自然の鉱脈から採取された、ＳＧＥＳ（Super Growth-Ray Emitting Stone）鉱石であり、鉱石本体から遠赤外線が放出される。遠赤外線は、４〜１４μの波長を持つ不可視光線であり、人間、動物、植物の成長を増幅させる成長光線と呼ばれ、人間の細胞へ有効な影響をもたらし、この遠赤外線が癌疾患等に対して有効な治療手段のひとつであると証明されている。
【００１１】
ここで、天降石層１８を形成する方法について説明すると、天降石から天降石粉体を形成し、この天降石粉体を水からなる水溶液に混入して天降石溶液とする。この天降石溶液を未焼成の陶磁器素材の表面に塗布する（このとき、未焼成の陶磁器素材に天降石溶液を混入してもよい。）。天降石溶液を塗布した未焼成の陶磁器素材を約１３００℃前後の加熱炉に入れて焼結する。天降石溶液は約１３００℃前後の加熱によって溶融し、陶磁器素材の表面に浸透した状態で一体的となり、陶磁器１７の表面に焼結後の肉厚が１ｍｍ前後の天降石層１８となる。この天降石層１８の表面は天降石が約１３００℃前後の加熱によって溶融するため、平滑面となる。
天降石層１８は、陶磁器素材に対し、５〜５０重量％の天降石粉体、好ましくは１０重量％の天降石粉体を水溶液に混入した天降石溶液であり、５％未満であると、天降石としての効能が低下し、５０重量％を超えると、加熱炉で焼結したとき、亀裂が生じることがあり、５〜５０重量％の範囲が適当である。なお、天降石溶液に染料を添加して天降石層１８に着色してもよい。
【００１２】
このように構成された岩盤浴ベッド装置は、電気ヒータ１６に通電することにより、３０〜４０分で、遠赤外線放射プレート１５の表面温度が３８〜４２℃に加温される。従って、遠赤外線放射プレート１５の上面に横臥すると、温熱効果によって発汗作用がある。発汗作用は、体内の老廃物の排泄促進・健康増進効果・美容効果・ダイエット効果が得られる。
また、天降石を用いた入浴治療と異なり、天降石粒状体が身体に付着しないため、汗を洗い流す程度のシャワーを浴びればよく、バスタブをその都度に洗浄する面倒な作業が不要となる。従って、短時間で、岩盤浴を体験できる。
【００１３】
なお、前記実施形態においては、載置面部１２の上面に遠赤外線放射プレート１５を敷設し、載置面部１２の下面に電気ヒータ１６を敷設したが、遠赤外線放射プレート１５の下面に電気ヒータ１６を直接敷設してもよい。
【図面の簡単な説明】
【００１４】
【図１】この考案の第１の実施形態の岩盤浴ベッド装置の斜視図。
【図２】同実施形態の岩盤浴ベッド装置の側面図。
【図３】同実施形態を示し、図２のＡ−Ａ線に沿う拡大した断面図。
【符号の説明】
【００１５】
１１…ベッド本体、１５…遠赤外線放射プレート、１６…電気ヒータ、１７…陶磁器、１８…天降石層
【図１】
0003118642.tif 000003
【図２】
0003118642.tif 000004
【図３】
0003118642.tif 000005